(57)【要約】【課題】楽曲出展者に関連する楽曲についてより大きな注目を受けられるようにする。【解決手段】複数の楽曲出展者／楽曲閲覧者のクライアント端末５０Ａ／５０ＢとインターネットＮを介して接続され得るサーバ１０を有する。サーバ１０は、複数の楽曲出展者のクライアント端末５０Ａから送信される当該楽曲出展者に関連する楽曲等を記憶する楽曲等情報記憶手段と、楽曲についての情報等を楽曲閲覧者のクライアント端末５０Ｂに送信する楽曲等情報送信手段と、楽曲に対して順位を付与するための基礎となる順位付与基礎情報を複数の楽曲閲覧者のクライアント端末５０Ｂから受信する順位付与基礎情報受信手段と、その順位付与基礎情報に基づいて楽曲に対して順位を付与する楽曲順位付与手段と、順位とともに楽曲についての情報等を楽曲閲覧者のクライアント端末５０Ｂ等に送信する楽曲順位等情報送信手段とを有する。【選択図】図１
2008186307.tif 000002
【特許請求の範囲】
【請求項１】
複数の楽曲出展者のクライアント端末及び複数の楽曲閲覧者のクライアント端末とネットワークを介して接続され得るサーバを有するシステムであって、
前記サーバは、
前記複数の楽曲出展者のクライアント端末から送信される当該楽曲出展者に関連する楽曲並びに当該楽曲の曲名を含む当該楽曲についての情報及び当該楽曲出展者の名称を含む当該楽曲出展者についての情報を各々記憶する楽曲等情報記憶手段と、
前記楽曲等情報記憶手段に記憶されたもののうち少なくとも楽曲の曲名及び楽曲出展者の名称を前記楽曲閲覧者のクライアント端末に送信する楽曲等情報送信手段と、
前記複数の楽曲出展者のクライアント端末から各々送信を受けた楽曲に対して順位を付与するための基礎となる順位付与基礎情報を前記複数の楽曲閲覧者のクライアント端末から受信する順位付与基礎情報受信手段と、
前記複数の楽曲閲覧者のクライアント端末から受信を受けた順位付与基礎情報に基づいて、前記楽曲等情報記憶手段に記憶された楽曲に対して順位を付与する楽曲順位付与手段と、
前記楽曲順番付与手段によって付与された順位とともに前記楽曲等情報記憶手段に記憶されたもののうちの少なくとも楽曲の曲名及び楽曲出展者の名称を少なくとも前記楽曲閲覧者のクライアント端末に送信する楽曲順位等情報送信手段と
を有するものである、
楽曲出展閲覧システム。
【請求項２】
請求項１に記載の楽曲出展閲覧システムであって、
前記楽曲出展者に関連する楽曲が当該楽曲出展者を象徴する楽曲である、
楽曲出展閲覧システム。
【請求項３】
請求項１に記載の楽曲出展閲覧システムであって、
前記楽曲出展者に関連する楽曲が当該楽曲出展者の事業に関して宣伝広告する楽曲である、
楽曲出展閲覧システム。
【発明の詳細な説明】
【技術分野】
【０００１】
本発明は、楽曲の出展を受けるとともにその楽曲を閲覧に供するシステムに関するものである。
【背景技術】
【０００２】
企業や学校等の団体には、一般的に、その団体を象徴する歌（楽曲）が存在する。すなわち、社歌や校歌等である。
また、企業等の団体は、社会に対して商品やサービスを提供するのであるが、その商品やサービスの広告宣伝のために、広告宣伝用楽曲（いわゆるＣＭソング）が提供される場合がある。
【０００３】
ところで、社歌や校歌等、団体を象徴する歌は、基本的には、ほぼ当該団体の内部においてのみ知られており、第三者はほとんどその内容を知らない。
このため、社歌や校歌等を通じてその団体が宣伝される機会はほとんどなく、その団体の知名度を向上させるためには供されていなかった。
【０００４】
また、ＣＭソング等は、その性質上、第三者に対してアピールされるものである。このため、ＣＭソングはテレビ等で流れるようにされているが、さらに別の形態で宣伝広告効果が得られる方法が模索されていた。
【発明の開示】
【発明が解決しようとする課題】
【０００５】
本発明は、楽曲出展者に関連する楽曲についてより大きな注目を受けられるようにするシステムを提供することを課題とする。
【課題を解決するための手段】
【０００６】
上記の課題を解決するために、請求項１に係る発明は、複数の楽曲出展者のクライアント端末及び複数の楽曲閲覧者のクライアント端末とネットワークを介して接続され得るサーバを有するシステムであって、前記サーバは、前記複数の楽曲出展者のクライアント端末から送信される当該楽曲出展者に関連する楽曲並びに当該楽曲の曲名を含む当該楽曲についての情報及び当該楽曲出展者の名称を含む当該楽曲出展者についての情報を各々記憶する楽曲等情報記憶手段と、前記楽曲等情報記憶手段に記憶されたもののうち少なくとも楽曲の曲名及び楽曲出展者の名称を前記楽曲閲覧者のクライアント端末に送信する楽曲等情報送信手段と、前記複数の楽曲出展者のクライアント端末から各々送信を受けた楽曲に対して順位を付与するための基礎となる順位付与基礎情報を前記複数の楽曲閲覧者のクライアント端末から受信する順位付与基礎情報受信手段と、前記複数の楽曲閲覧者のクライアント端末から受信を受けた順位付与基礎情報に基づいて、前記楽曲等情報記憶手段に記憶された楽曲に対して順位を付与する楽曲順位付与手段と、前記楽曲順番付与手段によって付与された順位とともに前記楽曲等情報記憶手段に記憶されたもののうちの少なくとも楽曲の曲名及び楽曲出展者の名称を少なくとも前記楽曲閲覧者のクライアント端末に送信する楽曲順位等情報送信手段とを有するものである、楽曲出展閲覧システムである。
【０００７】
「ネットワーク」には、インターネットの他、閉じた系であるネットワークも含まれる。
「楽曲等情報記憶手段」における「当該楽曲の曲名を含む当該楽曲についての情報」には、「当該楽曲の曲名のみ」の場合も含まれる。「当該楽曲についてのその他の情報」として、当該楽曲の作詞家，作曲者名等がある。
同じく「当該楽曲出展者の名称を含む当該楽曲出展者についての情報」には、「当該楽曲出展者の名称のみ」の場合も含まれる。「楽曲出展者の名称」には、その略称も含まれる。「当該楽曲出展者についてのその他の情報」として、当該楽曲出展者の業種等がある。
【０００８】
「楽曲等情報送信手段」には、一の楽曲ごと送信する態様と、複数の楽曲を同時に送信する態様の双方が含まれる。
「楽曲順位等情報送信手段」には、上位の複数の楽曲について同時に送信する態様が代表的であるが、それに限らず、一の楽曲についてごと送信する態様も含まれる。
また、本発明においては、楽曲等情報送信手段と楽曲順位等情報送信手段とが、両者の内容を兼ね備えた一の手段で形成される場合も含まれるものとする。
【０００９】
「楽曲等情報送信手段」における「少なくとも楽曲閲覧者のクライアント端末に送信される」には、「楽曲閲覧者のクライアント端末のみに送信される」という態様や、「楽曲出展者のクライアント端末及び楽曲閲覧者のクライアント端末に送信される」という態様がある。
【００１０】
この発明の楽曲出展閲覧システムでは、次の作用効果が得られる。
サーバの楽曲等情報記憶手段では、複数の楽曲出展者のクライアント端末から送信される当該楽曲出展者に関連する楽曲並びに当該楽曲及び当該楽曲出展者についての情報が、各々記憶される。
同じく楽曲等情報送信手段では、楽曲等情報記憶手段に記憶されたもののうち少なくとも楽曲の曲名及び楽曲出展者の名称が、楽曲閲覧者のクライアント端末に送信される。
同じく順位付与基礎情報受信手段では、複数の楽曲出展者のクライアント端末から各々送信を受けた楽曲に対して順位を付与するための基礎となる順位付与基礎情報が、前記複数の楽曲閲覧者のクライアント端末から受信される。
同じく楽曲順位付与手段では、複数の楽曲閲覧者のクライアント端末から受信を受けた順位付与基礎情報に基づいて、前記楽曲等情報記憶手段に記憶された楽曲に対して順位が付与される。
同じく楽曲順位等情報送信手段では、楽曲順番付与手段によって付与された順位とともに、楽曲等情報記憶手段に記憶された情報のうちの少なくとも楽曲の曲名及び楽曲出展者の名称が、少なくとも楽曲閲覧者のクライアント端末に送信される。
【００１１】
このように、この発明の楽曲出展閲覧システムでは、楽曲出展者に関連する楽曲が楽曲出展者によって出展され、その楽曲についての情報等が楽曲閲覧者によって閲覧される。
そして、楽曲閲覧者からの順位付与基礎情報に基づいて、それらの楽曲について順位が付与され、その順位が楽曲閲覧者等によって認識されることとなる。
このようにして、この発明の楽曲出展閲覧システムでは、楽曲出展者に関連する楽曲について注目を集めることが可能となり、楽曲出展者等について有効に宣伝広告することが可能となる。
【００１２】
請求項２に係る発明は、請求項１に係る発明の楽曲出展閲覧システムであって、前記楽曲出展者に関連する楽曲が当該楽曲出展者を象徴する楽曲である、楽曲出展閲覧システムである。
【００１３】
「楽曲出展者を象徴する楽曲」には、社歌（楽曲出展者が会社の場合）や校歌（楽曲出展者が学校の場合）等がある。
【００１４】
この発明の楽曲出展閲覧システムでは、請求項１に係る発明の楽曲出展閲覧システムによる作用効果に加えて、次の作用効果が得られる。
すなわち、この発明の楽曲出展閲覧システムでは、社歌や校歌等、楽曲出展者を象徴する楽曲が楽曲出展者によって出展され、その楽曲についての情報等が楽曲閲覧者によって閲覧され、それらの楽曲について順位が付与され、その順位が楽曲閲覧者等によって認識されることとなる。
このようにして、この発明の楽曲出展閲覧システムでは、楽曲出展者を象徴する楽曲について注目を集めることが可能となり、楽曲出展者自体が宣伝広告されることとなる。
【００１５】
請求項３に係る発明は、請求項１に係る発明の楽曲出展閲覧システムであって、前記楽曲出展者に関連する楽曲が当該楽曲出展者の事業に関して宣伝広告する楽曲である、楽曲出展閲覧システムである。
【００１６】
この発明の楽曲出展閲覧システムでは、請求項１に係る発明の楽曲出展閲覧システムによる作用効果に加えて、次の作用効果が得られる。
すなわち、この発明の楽曲出展閲覧システムでは、ＣＭソング等、楽曲出展者の事業に関して宣伝広告する（すなわち、その事業に係る商品，サービス等を宣伝広告する）楽曲が楽曲出展者によって出展され、その楽曲についての情報等が楽曲閲覧者によって閲覧され、それらの楽曲について順位が付与され、その順位が楽曲閲覧者等によって認識されることとなる。
このようにして、この発明の楽曲出展閲覧システムでは、楽曲出展者の事業に関して宣伝する楽曲について注目を集めることが可能となり、楽曲出展者の事業が宣伝広告されることとなる。
【発明を実施するための最良の形態】
【００１７】
次に、本発明の一実施形態について、図面に基づいて説明する。
図１に示すように、この楽曲出展閲覧システムはサーバ１０を有し、サーバ１０には、複数（多数）のクライアント端末５０（パーソナルコンピュータ等）がインターネットＮを介して接続し得る。
各クライアント端末５０は、楽曲出展者のクライアント端末（以下、単に出展者のクライアント端末ともいう）５０Ａとして機能する場合と、楽曲閲覧者のクライアント端末（以下、単に閲覧者のクライアント端末ともいう）５０Ｂとして機能する場合とがある。
【００１８】
サーバ１０は、制御部２０，受信部２２，送信部２４，記憶部３０を有している。
受信部２２，送信部２４，記憶部３０は、制御部２０に接続されている。受信部２２及び送信部２４は、接続装置１５を介してインターネットＮに接続される。
【００１９】
記憶部３０には、プログラム記憶部３１，楽曲データ記憶部４０等がある。
楽曲データ記憶部４０には、第１楽曲データ記憶部４０ａ，第２楽曲データ記憶部４０ｂ，…，第ｎ楽曲データ記憶部４０ｘ，…がある。
各楽曲データ記憶部４０ａ，４０ｂ，…，第ｎ楽曲データ記憶部４０ｘ，…には、登録日記憶部４１，出展者情報記憶部４２，楽曲情報記憶部４３，楽曲記憶部４４，得票数記憶部４５，順位記憶部４６等がある。
【００２０】
プログラム記憶部３１には、後述する手順を実行するためのプログラムが記憶されている。
第１楽曲データ記憶部４０ａには、記憶される多数の楽曲のデータのうち、第１の楽曲に関するデータが記憶される。「第１の楽曲」とは、１番目に登録される楽曲のことをいう。
各楽曲データ記憶部（第１楽曲データ記憶部４０ａ，第２楽曲データ記憶部４０ｂ，…，第ｎ楽曲データ記憶部４０ｘ，…）の各記憶部４１，４２，４３，４４，４５，４６においては、各々、該当する情報が記憶される。詳細については後述する。
【００２１】
次に、この楽曲出展閲覧システムの作動内容を説明する。
［楽曲の登録］
まず、楽曲の登録の手順について、図２のフローチャート並びに図４及び図５等に基づいて説明する。
【００２２】
出展者のクライアント端末５０Ａにおいてサーバ１０にアクセスするための操作がされることによって、その出展者のクライアント端末５０Ａがサーバ１０にアクセスする（ステップＳ１）。
それを受けて、サーバ１０は、その出展者のクライアント端末５０Ａに対して、メニュー画面６０（正確にはそのためのデータ。以下同様）を送信する（ステップＳＳ１）。
それによって、その出展者のクライアント端末５０Ａにおいて、メニュー画面６０（図４）が表示される（ステップＳ２）。
図４に示すように、メニュー画面６０には、上位ランキング表示部６１，楽曲登録要求部６２，新着楽曲リスト要求部６４，楽曲ランキングリスト要求部６５，楽曲検索要求部６６がある。
上位ランキング表示部６１には、上位の楽曲（例えば第１位から第５位）までの楽曲が表示されている。ランキングの順位，出展者（団体）の名称，曲名，得票数が表示される。
【００２３】
出展者のクライアント端末５０Ａにおいて楽曲登録要求部６２が操作（クリック）されて楽曲の登録要求がされる（ステップＳＡ３）ことに基づいて、サーバ１０は、その出展者クライアント端末５０Ａに対して、楽曲登録フォーム７０を送信する（ステップＳＳ１２）。
それによって、その出展者のクライアント端末５０Ａにおいて、その楽曲登録フォーム７０（図５）が表示される（ステップＳＡ４）。
なお、正確には、このように楽曲登録を開始するための操作が行われることによって、そのクライアント端末５０は、出展者のクライアント端末５０Ａとして機能することとなる。
【００２４】
図５に示すように、楽曲登録フォーム７０には、出展者情報入力部７２，楽曲情報入力部７４，楽曲添付部７６がある。
出展者情報入力部７２には、団体名入力部７２ａ，業種入力部７２ｂ，住所入力部７２ｃ，電話番号入力部７２ｄ，ＦＡＸ番号入力部７２ｅ，担当者名入力部７２ｆがある。
団体名入力部７２ａには、出展者（団体）の名称が入力され、住所入力部７２ｃ，電話番号入力部７２ｄ，ＦＡＸ番号入力部７２ｅ，担当者名入力部７２ｆには、各々、その団体の住所，電話番号，ＦＡＸ番号，担当者の氏名が入力される。
業種入力部７２ｂには、出展者（団体）の業種が入力される。業種としては、家電，菓子，食品，薬品，スーパーマーケット，学校，官公庁，…等がある。多数の業種が予め用意されており、そのうちの１つを選択する形式で入力される。
出展者情報入力部７２に入力される情報のことを「出展者情報」ということとする。この「出展者情報」が、本発明の「楽曲出展者についての情報」に該当する。
【００２５】
楽曲情報入力部７４には、曲名入力部７４ａ，作詞者名入力部７４ｂ，作曲者名入力部７４ｃ，ジャンル入力部７４ｄ，コメント入力部７４ｅがある。
曲名入力部７４ａ，作詞者名入力部７４ｂ，作曲者名入力部７４ｃには、各々、出展される楽曲の曲名，作詞者の氏名，作曲者の氏名が入力される。
ジャンル入力部７４ｄには、出展される楽曲のジャンルが入力される。ジャンルとしては、社歌，校歌，ＣＭソング，…等がある。複数のジャンルが予め用意されており、そのうちの１つを選択する形式で入力される。
コメント入力部７４ｅには、出展される楽曲に関するコメントが任意で入力される。
楽曲情報入力部７４に入力される内容のことを「楽曲情報」ということとする。この「楽曲情報」が、本発明の「楽曲についての情報」に該当する。
【００２６】
楽曲添付部７６には、出展される楽曲（その電子データ）が添付（入力）される。
出展者情報、楽曲情報及び楽曲を総称して「楽曲に関する情報」ということとする。
【００２７】
その出展者のクライアント端末５０Ａにおいて、楽曲に関する情報が入力された状態で、送信部７８が操作（クリック）されることによって、その楽曲に関する情報がサーバ１０に対して送信される（ステップＳＡ５）。
それを受けて、サーバ１０（図１）の楽曲データ記憶部４０に、その楽曲に関する情報が登録される（ステップＳＳ１３）。
【００２８】
すなわち、その楽曲に関する情報は、サーバ１０（図１）の楽曲データ記憶部４０のうちの第１楽曲データ記憶部４０ａ，第２楽曲データ記憶部４０ｂ，……のうちのいずれかに記憶される。１番目に登録される楽曲については第１楽曲データ記憶部４０ａに記憶され、２番目に登録される楽曲については第２楽曲データ記憶部４０ｂに記憶され、…、ｎ番目に登録される楽曲については第ｎ楽曲データ記憶部４０ｘ（ｎは自然数，ｘはａ，ｂ，ｃ，…のうちのいずれか）に記憶される。
楽曲データ記憶部４０のうちの所定の第ｎ楽曲データ記憶部４０ｘの登録日記憶部４１に、その記憶がされる日（登録日）が記憶され、出展者情報記憶部４２に出展者情報（出展者情報入力部７２に入力され送信された内容）が記憶され、楽曲情報記憶部４３に楽曲情報（楽曲情報入力部７４に入力され送信された内容）が記憶され、楽曲（楽曲添付部７６に添付され送信された楽曲のデータ）が楽曲記憶部４４に記憶される。
このステップＳＳ１３及び楽曲データ記憶部４０が、本発明の楽曲等情報記憶手段に該当する。
【００２９】
［楽曲の閲覧］
次に、楽曲の閲覧の手順について、図３Ａ及び図３Ｂのフローチャート並びに図４、図６及び図７等に基づいて説明する。
【００３０】
閲覧者のクライアント端末５０Ｂにおいてサーバ１０にアクセスするための操作がされることによって、その閲覧者のクライアント端末５０Ｂがサーバ１０にアクセスする（ステップＳ１）。
それを受けて、サーバ１０は、その閲覧者のクライアント端末５０Ｂに対して、メニュー画面６０を送信し（ステップＳＳ１）、その閲覧者のクライアント端末５０Ｂにおいて、メニュー画面６０（図４）が表示される（ステップＳ２）。
図４に基づいて前述したように、メニュー画面６０には、上位ランキング表示部６１，楽曲登録要求部６２，新着楽曲リスト要求部６４，楽曲ランキングリスト要求部６５，楽曲検索要求部６６がある。
同じく前述したように、上位ランキング表示部６１には、上位の楽曲（例えば第１位から第５位）までの楽曲が表示されている。ランキングの順位，出展者（団体）の名称，曲名，得票数が表示される。
【００３１】
閲覧者のクライアント端末５０Ｂにおいて新着楽曲リスト要求部６４，楽曲ランキングリスト要求部６５，楽曲検索要求部６６のうちのいずれかが操作（クリック）されて楽曲リストの種類が選択され、その旨の信号がサーバ１０に送信される（ステップＳＢ３）ことに基づいて、サーバ１０は、該当する楽曲リストを送信する（ステップＳＳ２２）。
それによって、その閲覧者のクライアント端末５０Ｂにおいて、その楽曲リストが表示される（ステップＳＢ４）。
なお、正確には、このように楽曲閲覧を開始するための操作が行われることによって、そのクライアント端末５０は、閲覧者のクライアント端末５０Ｂとして機能することとなる。
このステップＳＳ２２が、本発明の楽曲等情報送信手段に該当する。
【００３２】
新着楽曲リスト要求部６４が操作（クリック）された場合には、新着楽曲リスト８０（図６）が表示される。
図６に示すように、新着楽曲リスト８０では、新着の楽曲（すなわち、最近の所定の期間内に登録された楽曲）の一覧が表示される。新着楽曲リスト８０においては、各楽曲ごとに、出展者（団体）の名称，曲名，登録日が表示されるとともに、詳細情報要求部８２が表示される。
【００３３】
楽曲ランキングリスト要求部６５（図４）が操作（クリック）された場合には、楽曲ランキングリスト（図示省略）が表示される。
楽曲ランキングリストでは、登録されている楽曲について、ランキング順に（すなわち、得票数の多い順に）表示される。各楽曲ごとに、順位，出展者（団体）の名称，曲名，得票数等、及び、詳細情報要求部（８２）が表示される。
楽曲ランキングリストには、すべての楽曲におけるランキングが表示されるという態様の他、各業種／ジャンルごとのランキングが表示される態様や、それら複数種類のランキングが表示される態様がある。各業種／ジャンルごとのランキングが表示される態様においては、閲覧者のクライアント端末５０Ｂから送信されるその旨の信号（図示省略）に基づいて、いずれかの業種／ジャンルのランキングが表示される。
【００３４】
楽曲検索要求部６６（図４）が操作（クリック）された場合には、詳細な図示は省略するが、楽曲の曲名，出展者（団体）の業種，楽曲のジャンル等の検索項目が閲覧者のクライアント端末５０Ｂに表示される。
そして、閲覧者のクライアント端末５０Ｂにおける操作（すなわち、検索項目の指定）に基づいて、指定された項目に該当する楽曲の一覧のリストがサーバ１０からその閲覧者のクライアント端末５０Ｂに送信され、その閲覧者のクライアント端末５０Ｂにおいて表示される。
そのリストにおいては、各楽曲ごとに、出展者（団体）の名称，曲名等、及び、詳細情報要求部（８２）が表示される。
【００３５】
次に、閲覧者のクライアント端末５０Ｂにおける上述のいずれかの検索結果の画面において、いずれかの楽曲（特定された楽曲）の詳細情報要求部８２（図６参照）が操作（クリック）され、その旨の信号がサーバ１０に送信される（ステップＳＢ５）ことに基づいて、その特定された楽曲の詳細情報等がサーバ１０から送信される（ステップＳＳ２３）。それによって、閲覧者のクライアント端末５０Ｂにおいて、その特定された楽曲の詳細情報等（図７）が表示される（ステップＳＢ６）。
【００３６】
図７に示すように、閲覧者のクライアント端末５０Ｂに表示される画面には、詳細情報表示部９０，投票操作部９２，試聴要求部９４，ダウンロード要求部９６がある。
詳細情報表示部９０においては、その楽曲の曲面（この場合「ゴーゴー○○」），登録日，出展者の名称（団体名）（この場合「○○株式会社」），業種（この場合「製造業」），ジャンル（この場合「社歌」），電話番号，作詞者（この場合「山田○○」），作曲者（この場合「山本○○」），コメントが表示される。
このステップＳＳ２３も、本発明の楽曲等情報送信手段に該当する。
【００３７】
試聴要求部９４は、閲覧者がその楽曲を試聴するための操作（クリック）をするためのものである。同様に、ダウンロード要求部９６は、閲覧者がその楽曲をダウンロードするための操作（クリック）をするためのものである。
投票操作部９２は、閲覧者がその楽曲を気に入った場合に、その楽曲について１票を投じる旨の操作（クリック）をするためのものである。
【００３８】
そして、閲覧者のクライアント端末５０Ｂにおいて試聴要求部９４が操作（クリック）された場合（ステップＳＢ７でＹｅｓ）には、その旨を要求する信号がサーバ１０に送信される（ステップＳＢ８）。
それに基づいて、サーバ１０からその閲覧者のクライアント端末５０Ｂに対して、その楽曲（正確にはその楽曲についてのデータ）が送信され（ステップＳＳ２４）、その閲覧者のクライアント端末５０Ｂにおいてその楽曲が再生される（ステップＳＢ９）。
閲覧者のクライアント端末５０Ｂにおいてダウンロード要求部９６が操作（クリック）された場合（ステップＳＢ７でＹｅｓ）も、同様にして、その楽曲（正確にはその楽曲についてのデータ）が、その閲覧者のクライアント端末５０Ｂに対してダウンロードされる（ステップＳＢ８→ステップＳＳ２４→ステップＳＢ９）。
前述のステップＳＳ２３及びこのステップＳＳ２４を併せたものも、本発明の楽曲等情報送信手段に該当するといえる。さらには、前述のステップＳＳ２２、ステップＳＳ２３及びこのステップＳＳ２４を併せたものも、本発明の楽曲等情報送信手段に該当するといえる。
【００３９】
上述のような試聴要求部９４やダウンロード要求部９６における操作がされなかった（ステップＳＢ７でＮｏ）場合は、直接的にステップＳＢ１０へ進む。また、上述のようにして楽曲の再生／ダウンロードがされた（ステップＳＢ９）場合には、その後にステップＳＢ１０へ進む。
そして、閲覧者のクライアント端末５０Ｂにおいて、その楽曲について投票がされた場合、すなわち、投票操作部９２（図７）が操作（クリック）された場合（ステップＳＢ１０でＹｅｓ）には、その閲覧者のクライアント端末５０Ｂから、サーバ１０に対して、その楽曲について投票する旨の信号が送信される（ステップＳＢ１２）。
そして、その信号が、サーバ１０において受信される（ステップＳＳ２５）。
このステップＳＳ２５が、本発明の順位付与基礎情報受信手段に該当する。
【００４０】
これを受けて、サーバ１０（図１）においては、その楽曲について得票数が更新される（ステップＳＳ２６）。
すなわち、楽曲データ記憶部４０のうちの該当する第ｎ楽曲データ記憶部４０ｘにおける得票数記憶部４５にそれまで記憶されていた得票数に対して、「１」が加算される。
【００４１】
次に、サーバ１０（図１）において、ランキングが更新される（ステップＳＳ２７）。すなわち、サーバ１０に記録されている全楽曲の順位（得票数の多い順の順位）が更新される。それとともに、該当する業種（この場合「製造業」）における順位や、該当するジャンル（この場合「社歌」）における順位が更新される。
こうして、楽曲データ記憶部４０のうちのすべての第ｎ楽曲データ記憶部４０ｘにおける順位記憶部４６に記憶されていた順位が更新される。
このステップＳＳ２７が、本発明の楽曲順位付与手段に該当する。
【００４２】
一方、閲覧者のクライアント端末５０Ｂにおいて、その楽曲について投票がされなかった場合、すなわち、投票操作部９２（図７）が操作（クリック）されなかった場合（ステップＳＢ１０でＮｏ）には、ステップＳＢ１２へは進まず、ステップＳＢ１３に進む。
このため、サーバ１０において得票数の更新（ステップＳＳ２６）やランキングの更新（ステップＳＳ２７）は行われない。
【００４３】
その後に、ステップＳＢ１３において、その楽曲について再度（ステップＳＢ７でＹｅｓだった場合）又は初めて（ステップＳＢ７でＮｏだった場合）試聴要求部９４又はダウンロード要求部９６が操作（クリック）された場合（ステップＳＢ１３でＹｅｓ）には、ステップＳＢ８へ戻り、上述と同様の処理が行われる。
ただし、その楽曲について再度又はそれ以上投票しようとされた場合（ステップＳＢ１０でＹｅｓ）には、ステップＳＢ１１でＮｏとなる。そして、その閲覧者のクライアント端末５０Ｂにおいて投票のための処理（ステップＳＢ１２）が行われず、サーバ１０においても投票された際の処理（ステップＳＳ２６，ステップＳＳ２７）が行われない。
【００４４】
そして、ステップＳＢ１３において、その楽曲について試聴要求部９４又はダウンロード要求部９６が操作（クリック）されなかった場合（ステップＳＢ１３でＮｏ）には、終了する。
【００４５】
以上のような手順が、サーバ１０と多数の出展者のクライアント端末５０Ａとの間、及び、サーバ１０と多数の閲覧者のクライアント端末５０Ｂとの間において、行われる。
そして、前述したように、サーバ１０からのメニュー画面６０の送信（ステップＳＳ１）に基づいて、出展者のクライアント端末５０Ａ及び閲覧者のクライアント端末５０Ｂにおいてメニュー画面６０（図４）が表示され（ステップＳ２）、そのメニュー画面６０においては、上位ランキング表示部６１が表示される。上位ランキング表示部６１では、上位の楽曲（例えば第１位から第５位）までの楽曲について、ランキングの順位，出展者（団体）の名称，曲名，得票数が表示される（ステップＳ２）。
このステップＳＳ１が、本発明の楽曲順位等情報送信手段に該当する。
【００４６】
また、同じく前述したように、ステップＳＢ３においてメニュー画面６０（図４）のうち楽曲ランキングリスト要求部６５が操作（クリック）された場合は、それを受けて、サーバ１０からランキングリストが閲覧者のクライアント端末５０Ｂに送信され（ステップＳＳ２２）、そのランキングリストがその閲覧者のクライアント端末５０Ｂにおいて表示される（ステップＳＢ４）。その楽曲ランキングリストにおいては、登録されている楽曲について、ランキングの順位，出展者（団体）の名称，曲名，得票数等が表示される。
この場合のステップＳＳ２２も、本発明の楽曲順位等情報送信手段に該当する。
【００４７】
以上のように、この楽曲出展閲覧システムでは、出展者が出展した楽曲が閲覧者によって閲覧（視聴／ダウンロード）され得るとともに、出展者が出展した楽曲について閲覧者によって投票が行われ、そのランキングが閲覧者及び出展者に対して表示される。
このようにして、このシステムでは、出展者に関連する楽曲（社歌，校歌，ＣＭソング等）について大きな注目が受けられ、出展者等について大きな宣伝広告効果が得られる。
【００４８】
なお、上記のものはあくまで本発明の一実施形態にすぎず、当業者の知識に基づいて種々の変更を加えた態様で本発明を実施できることはもちろんである。
例えば、上記の実施形態では、閲覧者が気に入った楽曲に対して１票を投じることに基づいて楽曲に対して順位が付与されるが、そのような態様に限定されない。楽曲に対して１００点満点又は１０点満点で閲覧者が採点し、その点数を各楽曲ごとに合計して、楽曲に対して順位が付与される等の態様でもよい。
【図面の簡単な説明】
【００４９】
【図１】本発明の一実施形態の楽曲出展閲覧システムの全体を示すブロック図である。
【図２】本発明の一実施形態の楽曲出展閲覧システムの作動を示すフローチャートである。サーバと楽曲出展者のクライアント端末と間の手順を示す。
【図３Ａ】本発明の一実施形態の楽曲出展閲覧システムの作動を示すフローチャートである。サーバと楽曲閲覧者のクライアント端末との間の手順を示す。
【図３Ｂ】本発明の一実施形態の楽曲出展閲覧システムの作動を示すフローチャートである。サーバと楽曲閲覧者のクライアント端末との間の手順を示す。図３Ａの次の段階を示す。
【図４】本発明の一実施形態の楽曲出展閲覧システムの作動の一段階においてクライアント端末（楽曲出展者のクライアント端末及び楽曲閲覧者のクライアント端末）に表示される画面を示す図である。メニュー画面である。
【図５】本発明の一実施形態の楽曲出展閲覧システムの作動の一段階において楽曲出展者のクライアント端末に表示される画面を示す図である。楽曲登録フォームの画面である。
【図６】本発明の一実施形態の楽曲出展閲覧システムの作動の一段階において楽曲閲覧者のクライアント端末に表示される画面を示す図である。新着楽曲リストの画面である。
【図７】本発明の一実施形態の楽曲出展閲覧システムの作動の一段階において楽曲閲覧者のクライアント端末に表示される画面を示す図である。詳細情報等の画面である。
【符号の説明】
【００５０】
１０  サーバ
４０  楽曲データ記憶部
５０Ａ  楽曲出展者のクライアント端末
５０Ｂ  楽曲閲覧者のクライアント端末
ステップＳＳ１，ステップＳＳ２２  楽曲順位等情報送信手段
ステップＳＳ２２，ステップＳＳ２３  楽曲等情報送信手段
（ステップＳＳ２２・）ステップＳＳ２３・ステップＳＳ２４  楽曲等情報送信手段
ステップＳＳ１３  楽曲等情報記憶手段
ステップＳＳ２５  順位付与基礎情報受信手段
ステップＳＳ２７  楽曲順位付与手段
Ｎ  インターネット
【図１】
2008186307.tif 000003
【図２】
2008186307.tif 000004
【図３Ａ】
2008186307.tif 000005
【図３Ｂ】
2008186307.tif 000006
【図４】
2008186307.tif 000007
【図５】
2008186307.tif 000008
【図６】
2008186307.tif 000009
【図７】
2008186307.tif 000010